(57)【特許請求の範囲】
【請求項１】
複数の照明負荷を個別に調光する調光部と、前記複数の照明負荷の調光レベルの組み合わせで構成される複数のシーンデータを記憶する記憶部と、前記記憶部に記憶されている前記複数のシーンデータから任意の１つの前記シーンデータを選択し、選択した前記１つのシーンデータを構成する、前記複数の照明負荷毎の前記調光レベルを前記調光部に指示して前記１つのシーンデータに対応した照明環境を再現する制御部と、複数のセンサ端末がそれぞれ有する照度センサの照度検出値を前記複数のセンサ端末から個別に取得し、かつ、前記複数のセンサ端末がそれぞれ有する人感センサの人検知信号を前記複数のセンサ端末から個別に取得するセンサインタフェース部とを備え、
前記記憶部が記憶する前記複数のシーンデータは、前記複数の照明負荷毎の前記調光レベルと、前記複数のセンサ端末毎の照度目標値とを対応付けるようにそれぞれ構成され、
前記制御部は、前記複数のセンサ端末のうちで前記人感センサが前記人検知信号を出力している１つ又は複数の前記センサ端末の前記照度検出値を前記センサインタフェース部から受け取ると、受け取った前記照度検出値を、再現中の前記シーンデータの複数の前記照度目標値のうちで前記センサ端末と対応付けられている前記照度目標値とそれぞれ比較し、全ての前記照度検出値が前記照度目標値を上回る場合、前記照度目標値との差が最も小さい前記照度検出値を前記照度目標値に近付けるように前記調光レベルを調整して前記調光部に指示し、さらに、前記照度目標値を下回る前記照度検出値が存在する場合、前記照度目標値との差が最も大きい前記照度検出値を前記照度目標値に近付けるように前記調光レベルを調整して前記調光部に指示するように構成されることを特徴とする照明制御装置。
【請求項２】
複数の照明負荷を個別に調光する調光部と、前記複数の照明負荷の調光レベルの組み合わせで構成される複数のシーンデータを記憶する記憶部と、前記記憶部に記憶されている前記複数のシーンデータから任意の１つの前記シーンデータを選択し、選択した前記１つのシーンデータを構成する、前記複数の照明負荷毎の前記調光レベルを前記調光部に指示して前記１つのシーンデータに対応した照明環境を再現する制御部と、複数のセンサ端末がそれぞれ有する照度センサの照度検出値を前記複数のセンサ端末から個別に取得し、かつ、前記複数のセンサ端末がそれぞれ有する人感センサの人検知信号を前記複数のセンサ端末から個別に取得するセンサインタフェース部とを備え、
前記記憶部が記憶する前記複数のシーンデータは、前記複数の照明負荷毎の前記調光レベルと、前記複数のセンサ端末毎の照度目標値とを対応付けるようにそれぞれ構成され、
前記制御部は、前記複数のセンサ端末のうちで前記人感センサが前記人検知信号を出力している１つ又は複数の前記センサ端末の前記照度検出値を前記センサインタフェース部から受け取ると、受け取った前記照度検出値を、再現中の前記シーンデータの複数の前記照度目標値のうちで前記センサ端末と対応付けられている前記照度目標値とそれぞれ比較し、全ての前記照度検出値が前記照度目標値を上回る場合、前記照度目標値に対する、前記照度検出値と前記照度目標値の差の比率が最も小さい前記照度検出値を前記照度目標値に近付けるように前記調光レベルを調整して前記調光部に指示し、さらに、前記照度目標値を下回る前記照度検出値が存在する場合、前記比率が最も大きい前記照度検出値を前記照度目標値に近付けるように前記調光レベルを調整して前記調光部に指示するように構成されることを特徴とする照明制御装置。
【請求項３】
前記制御部は、前記センサインタフェース部が全ての前記センサ端末から前記人検知信号を受け取っていない場合、全ての前記センサ端末から前記センサインタフェース部が受け取る前記照度検出値を、再現中の前記シーンデータの複数の前記照度目標値とそれぞれ比較するように構成されることを特徴とする請求項１又は２記載の照明制御装置。
【請求項４】
前記複数のシーンデータは、１つ又は複数の前記照明負荷と１つ又は複数の前記センサ端末とを含む複数のグループ毎に設定されて前記記憶部に記憶され、
前記制御部は、前記複数のグループ毎に、前記複数のシーンデータから任意の１つの前記シーンデータを選択し、選択した前記１つのシーンデータを構成する、前記複数の照明負荷毎の前記調光レベルを前記調光部に指示して前記複数のグループ毎のシーンデータに対応した照明環境を再現するように構成されることを特徴とする請求項１〜３のいずれか１項に記載の照明制御装置。
【請求項５】
複数の照明負荷と、照度センサ及び人感センサを有する複数のセンサ端末と、請求項１〜４のいずれかの照明制御装置とを有し、前記照度センサは、照度検出値を前記照明制御装置に出力するように構成され、前記人感センサは、人の存在を検知したことを示す人検知信号を前記照明制御装置に出力するように構成されることを特徴とする照明システム。
【発明の詳細な説明】
【技術分野】
【０００１】
本発明は、照明制御装置及び照明システムに関し、より詳細には、人の存否と照度を検知して照明負荷を制御する照明制御装置、及び当該照明制御装置を用いた照明システムに関する。
【背景技術】
【０００２】
従来例として、特許文献１記載の照明制御装置を例示する。特許文献１記載の照明制御装置（以下、従来例と呼ぶ）は、複数の明るさセンサから明るさ値を取得する取得部と、取得部で取得した複数個の明るさ値から代表値を算出する演算部と、代表値を用いて複数台の照明器具に調光値を与える制御部とを備える。従来例は、さらに、照明空間における人の存否を検出する人感センサを備える。なお、代表値は、複数個の明るさ値の平均値あるいは中央値が主として用いられる。ただし、照明空間の特性や用途によっては、複数個の明るさ値の最大値や最小値が代表値に用いられることもある。
【０００３】
制御部は、明るさ値に対する目標範囲が規定されており、人感センサが照明空間における人の存在を検知しており、かつ、代表値が目標範囲を逸脱する場合に、代表値が目標範囲に収まるように、照明器具に調光値を指示する。
【０００４】
この従来例によれば、照明空間の場所によって明るさに大幅な過不足が生じることのないように、照明器具の光出力が適正化されるという利点がある。
【先行技術文献】
【特許文献】
【０００５】
【特許文献１】特開２０１３−１９１３７１号公報
【発明の概要】
【発明が解決しようとする課題】
【０００６】
ところで、上記従来例は、オフィスや店舗の照明を行うように構成されており、明るさ値の目標範囲をひとつしか有していない。一方、住宅内の照明では、部屋の種類（居間、食堂など）や演出効果などの目的に応じて、明るさ値の目標範囲が異なる場合が多い。そのため、特許文献１記載の従来例を住宅内の照明に用いる場合、人が居る場所の明るさ感を保ちつつ省エネルギー化を図ることが難しかった。
【０００７】
本発明は、上記課題に鑑みてなされており、人が居る場所の明るさ感を保ちつつ省エネルギー化を図ることを目的とする。
【課題を解決するための手段】
【０００８】
本発明の照明制御装置は、複数の照明負荷を個別に調光する調光部と、前記複数の照明負荷の調光レベルの組み合わせで構成される複数のシーンデータを記憶する記憶部と、前記記憶部に記憶されている前記複数のシーンデータから任意の１つの前記シーンデータを選択し、選択した前記１つのシーンデータを構成する、前記複数の照明負荷毎の前記調光レベルを前記調光部に指示して前記１つのシーンデータに対応した照明環境を再現する制御部と、複数のセンサ端末がそれぞれ有する照度センサの照度検出値を前記複数のセンサ端末から個別に取得し、かつ、前記複数のセンサ端末がそれぞれ有する人感センサの人検知信号を前記複数のセンサ端末から個別に取得するセンサインタフェース部とを備え、前記記憶部が記憶する前記複数のシーンデータは、前記複数の照明負荷毎の前記調光レベルと、前記複数のセンサ端末毎の照度目標値とを対応付けるようにそれぞれ構成され、前記制御部は、前記複数のセンサ端末のうちで前記人感センサが前記人検知信号を出力している１つ又は複数の前記センサ端末の前記照度検出値を前記センサインタフェース部から受け取ると、受け取った前記照度検出値を、再現中の前記シーンデータの複数の前記照度目標値のうちで前記センサ端末と対応付けられている前記照度目標値とそれぞれ比較し、全ての前記照度検出値が前記照度目標値を上回る場合、前記照度目標値との差が最も小さい前記照度検出値を前記照度目標値に近付けるように前記調光レベルを調整して前記調光部に指示し、さらに、前記照度目標値を下回る前記照度検出値が存在する場合、前記照度目標値との差が最も大きい前記照度検出値を前記照度目標値に近付けるように前記調光レベルを調整して前記調光部に指示するように構成されることを特徴とする。
【０００９】
本発明の照明制御装置は、複数の照明負荷を個別に調光する調光部と、前記複数の照明負荷の調光レベルの組み合わせで構成される複数のシーンデータを記憶する記憶部と、前記記憶部に記憶されている前記複数のシーンデータから任意の１つの前記シーンデータを選択し、選択した前記１つのシーンデータを構成する、前記複数の照明負荷毎の前記調光レベルを前記調光部に指示して前記１つのシーンデータに対応した照明環境を再現する制御部と、複数のセンサ端末がそれぞれ有する照度センサの照度検出値を前記複数のセンサ端末から個別に取得し、かつ、前記複数のセンサ端末がそれぞれ有する人感センサの人検知信号を前記複数のセンサ端末から個別に取得するセンサインタフェース部とを備え、前記記憶部が記憶する前記複数のシーンデータは、前記複数の照明負荷毎の前記調光レベルと、前記複数のセンサ端末毎の照度目標値とを対応付けるようにそれぞれ構成され、前記制御部は、前記複数のセンサ端末のうちで前記人感センサが前記人検知信号を出力している１つ又は複数の前記センサ端末の前記照度検出値を前記センサインタフェース部から受け取ると、受け取った前記照度検出値を、再現中の前記シーンデータの複数の前記照度目標値のうちで前記センサ端末と対応付けられている前記照度目標値とそれぞれ比較し、全ての前記照度検出値が前記照度目標値を上回る場合、前記照度目標値に対する、前記照度検出値と前記照度目標値の差の比率が最も小さい前記照度検出値を前記照度目標値に近付けるように前記調光レベルを調整して前記調光部に指示し、さらに、前記照度目標値を下回る前記照度検出値が存在する場合、前記比率が最も大きい前記照度検出値を前記照度目標値に近付けるように前記調光レベルを調整して前記調光部に指示するように構成されることを特徴とする。
【００１０】
本発明の照明システムは、複数の照明負荷と、照度センサ及び人感センサを有する複数のセンサ端末と、照明制御装置とを有し、前記照度センサは、照度検出値を前記照明制御装置に出力するように構成され、前記人感センサは、人の存在を検知したことを示す人検知信号を前記照明制御装置に出力するように構成されることを特徴とする。
【発明の効果】
【００１１】
本発明の照明制御装置及び照明システムは、人が居る場所の明るさ感を保ちつつ省エネルギー化を図ることができるという効果がある。
【図面の簡単な説明】
【００１２】
【図１】本実施形態に係る照明制御装置及び照明システムの構成図である。
【図２】本実施形態に係る照明システムの照明負荷のブロック図である。
【図３】本実施形態に係る照明システムのセンサ端末のブロック図である。
【図４】本実施形態に係る照明システムのセンサ端末の外観斜視図である。
【図５】本実施形態に係る照明制御装置の動作説明用のフローチャートである。
【発明を実施するための形態】
【００１３】
以下、本実施形態に係る照明制御装置１及び照明システム２について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１４】
本実施形態に係る照明システム２は、図１に示すように、本実施形態に係る照明制御装置１と、複数（図示例では６台）の照明負荷Ｌｎ（ｎ＝１，２，…，６）と、複数（図示例では６台）のセンサ端末Ｓｎ（ｎ＝１，２，…，６）とを有する。ただし、照明負荷Ｌｎ及びセンサ端末Ｓｎの台数は、６台に限定されない。また、照明負荷Ｌｎの台数とセンサ端末Ｓｎの台数が異なっていても構わない。
【００１５】
照明負荷Ｌｎは、例えば、図２に示すように、光源となるＬＥＤモジュール３０、点灯回路部３１、電源回路部３２、点灯制御部３３などを備えたＬＥＤ照明器具である。ＬＥＤモジュール３０は、例えば、複数個の白色発光ダイオードの直列回路で構成されることが好ましい。電源回路部３２は、商用の交流電源（電力系統）６から供給される交流電圧を直流電圧に変換するように構成されることが好ましい。例えば、電源回路部３２は、入力フィルタ、全波整流器、力率改善回路（昇圧チョッパ回路）などで構成されることが好ましい。点灯回路部３１は、電源回路部３２から出力される直流電圧を、ＬＥＤモジュール３０に適した直流電圧（≒白色発光ダイオードの順方向電圧×個数）に降圧するように構成されることが好ましい。例えば、点灯回路部３１は、降圧チョッパ回路のようなスイッチング電源回路で構成されることが好ましい。点灯制御部３３は、照明制御装置１から伝送線３を介して伝送される調光信号を受信し、調光信号で指示される調光レベルでＬＥＤモジュール３０を点灯（発光）させるように点灯回路部３１を制御する。すなわち、点灯制御部３３は、点灯回路部３１を構成する半導体スイッチング素子のオンデューティを制御することにより、ＬＥＤモジュール３０に流す電流を調光レベルに対応した目標値に一致させるように構成される。あるいは、点灯制御部３３は、点灯回路部３１を構成する半導体スイッチング素子をスイッチングする期間（導通期間）とスイッチングしない期間（休止期間）とを交互に切り替え、かつ、導通期間と休止期間の割合を調整してもよい。ただし、照明負荷Ｌｎは全てが同じ種類のＬＥＤ照明器具である必要はないし、白熱ランプや蛍光ランプを光源とする照明器具であっても構わない。
【００１６】
センサ端末Ｓｎは、例えば、図３に示すように、照度センサ４０、人感センサ４１、信号伝送部４２などを備えることが好ましい。照度センサ４０は、フォトダイオードやフォトトランジスタ、あるいは太陽電池などの光電変換素子、及び、光電変換素子のアナログ出力をディジタル出力（照度検出値）に変換するＡ／Ｄ変換回路などで構成されることが好ましい。人感センサ４１は、例えば、焦電素子、増幅回路、コンパレータなどで構成されることが好ましい。すなわち、人感センサ４１は、焦電素子の出力を増幅回路で増幅し、増幅された出力をコンパレータでしきい値と比較し、コンパレータの出力端から人検知信号を出力するように構成される。したがって、人感センサ４１は、検知領域内に人が存在する場合にハイレベルとなり、検知領域内に人が存在しない場合にローレベルとなる人検知信号を出力する。信号伝送部４２は、照度センサ４０が出力する照度検出値（ディジタル値のデータ）、及び人感センサ４１が出力する人検知信号（２値のデータ）を、信号線４を介して照明制御装置１に伝送（送信）するように構成される。また、信号伝送部４２は、照明制御装置１から信号線４を介して伝送（送信）される伝送信号を受信するように構成されることが好ましい。信号伝送部４２は、例えば、ＲＳ−４８５などの規格に準拠したシリアル通信を行うように構成されることが好ましい。つまり、信号伝送部４２は、固有のアドレスが割り当てられており、伝送信号の送信先のアドレスが自己のアドレスに一致する場合に当該伝送信号を受信するように構成される。ただし、信号伝送部４２は、他の規格に準拠した有線通信を行うように構成されてもよいし、無線ＬＡＮなどの規格に準拠した無線通信を行うように構成されてもよい。なお、センサ端末Ｓｎは、交流電源６から供給される交流電力を直流電力に変換する電源回路を備え、電源回路で変換される直流電力を照度センサ４０、人感センサ４１、信号伝送部４２にそれぞれ供給するように構成されることが好ましい。
【００１７】
また、センサ端末Ｓｎは、図４に示すように、天井７に設けられる埋込孔に埋込配設されることが好ましい。センサ端末Ｓｎは、天井７の表側に露出するカバー４３を有している。カバー４３には、人感センサ４１の焦電素子に赤外線を集光するためのレンズ４４や、照度センサ４０の受光素子（フォトダイオードなど）に外光を照射するための光取り入れ口４５などが設けられる。
【００１８】
照明制御装置１は、図１に示すように、制御部１０、調光部１１、センサインタフェース部１２、記憶部１３、操作入力部１４、電源部１５などを備えることが好ましい。調光部１１は、伝送線３を介して複数台の照明負荷Ｌｎとそれぞれ電気的に接続されることが好ましい。調光部１１は、制御部１０から指示される調光レベルに対応した調光信号を生成し、伝送線３を介して照明負荷Ｌｎに伝送（送信）するように構成される。なお、調光信号は、調光レベル（定格点灯時を１００％としたときの光出力の比）をオンデューティ比に対応させたＰＷＭ（パルス幅変調）信号で構成されることが好ましい。
【００１９】
センサインタフェース部１２は、センサ端末Ｓｎの信号伝送部４２との間で信号線４を介したデータ通信（シリアル通信）を行うように構成される。センサインタフェース部１２は、信号伝送部４２から信号線４を介して伝送される伝送信号を受信し、受信した伝送信号からデータ（照度検出値及び人検知信号）を取り出して（復調して）制御部１０に渡すように構成される。また、センサインタフェース部１２は、制御部１０から渡される送信フレームを伝送信号に変換（変調）して信号線４に送出するように構成される。ただし、センサインタフェース部１２は、無線ＬＡＮなどの規格に準拠した無線通信を行うように構成されてもよい。
【００２０】
操作入力部１４は、複数の押釦スイッチや、複数のフェーダを有することが好ましい。操作入力部１４は、複数の押釦スイッチが押操作されたときにそれぞれの押釦スイッチに対応した操作入力を受け付け、受け付けた操作入力を示す操作信号を制御部１０に出力するように構成される。フェーダは、スライド操作可能な操作つまみを有する入力デバイスである。操作入力部１４は、操作つまみの位置（操作位置）に対応した操作入力をフェーダから受け取り、受け取った操作入力に対応する操作信号を出力する。なお、フェーダの操作入力は、例えば、照明負荷Ｌｎの調光レベルに対応する。
【００２１】
記憶部１３は、フラッシュメモリなどの電気的に書換可能な不揮発性の半導体メモリで構成され、シーンデータやセンサ端末Ｓｎのアドレスなどを記憶することが好ましい。シーンデータは、複数のシーンを区別するためのシーン番号と、個々のシーン毎に定められる複数台の照明負荷Ｌｎの調光レベルと、同じく個々のシーン毎に定められる複数台の照明負荷Ｌｎの照度の目標値（照度目標値）とを含むことが好ましい（表１参照）。ただし、表１には記載していないが、それぞれのシーン番号が選択される条件（６台のセンサ端末Ｓｎの人検知信号の組み合わせ）についても、記憶部１３に記憶されている。
【００２２】
【表１】
0006531944.tif 000002
【００２３】
制御部１０は、例えば、マイクロコントローラと、マイクロコントローラのＣＰＵ（Central Processing Unit）で実行されるプログラムとで構成されることが好ましい。制御部１０の主な機能は、センサ端末Ｓｎから受け取る人検知信号及び照度検出値に基づいて、調光部１１を通じて複数台の照明負荷Ｌｎを調光制御する機能である。また、制御部１０は、操作入力部１４から受け取る操作信号で指示される調光レベルで複数台の照明負荷Ｌｎを調光制御する機能も有している。
【００２４】
例えば、制御部１０は、６台のセンサ端末Ｓｎのうちの少なくとも１台のセンサ端末Ｓｎから人検知信号を受け取っている場合、シーン番号１番のシーン（以下、１番のシーンという）を選択する。また、制御部１０は、６台全てのセンサ端末Ｓｎから人検知信号を受け取っていない場合、シーン番号２番のシーン（以下、２番のシーンという）を選択する。そして、制御部１０は、選択したシーンのシーン番号に対応するシーンデータを記憶部１３から読み出し、それぞれの照明負荷Ｌｎに対応した調光レベルを調光部１１に指示する。調光部１１は、制御部１０から指示された調光レベルを調光信号（ＰＷＭ信号）に変換し、伝送線３を介して６台の照明負荷Ｌｎにそれぞれ伝送する。さらに、制御部１０は、いずれかのシーン番号のシーンを再現している間、６台のセンサ端末Ｓｎから受け取る照度検出値とシーンデータの照度目標値とを比較する。そして、制御部１０は、照度検出値と照度目標値との差を減らすように、それぞれの照明負荷Ｌｎに指示する調光レベルを調節する。なお、制御部１０の制御動作については、後に詳細に説明する。
【００２５】
電源部１５は、交流電源６から供給される交流電力を直流電力に変換し、変換した直流電力を、制御部１０、調光部１１、センサインタフェース部１２、記憶部１３、操作入力部１４などに供給するように構成される。
【００２６】
次に、本実施形態に係る照明制御装置１及び照明システム２の動作を説明する。まず始めに、照明制御装置１の記憶部１３に、シーンデータを登録する際の制御部１０の動作について、図５のフローチャートを参照して説明する。ただし、以下に説明するシーンデータの登録作業は、太陽光などの外光の影響が少ない時間帯（例えば、夜間）に行われることが望ましい。
【００２７】
シーンデータの登録作業を行う作業者は、操作入力部１４の登録モード切替用の押釦スイッチを押操作する。制御部１０は、操作入力部１４から登録モード切替用の操作信号を受信するとシーンデータの登録モードに移行し、操作入力部１４からシーン登録の操作信号を受信するまで登録モードを継続する（図５のStep１）。作業者は、照明制御装置１の操作入力部１４に設けられるフェーダを操作して、６台の照明負荷Ｌｎの調光レベルを個別に調節して所望のシーンに設定した後、操作入力部１４のシーン登録用の押釦スイッチを押操作する。制御部１０は、操作入力部１４からシーン登録の操作信号を受信すると、その操作信号で指定されているシーン番号（例えば、１番）のシーンデータに、その時点の６台の照明負荷Ｌｎの調光レベルを対応付けて記憶部１３に記憶させる（図５のStep２）。続いて、制御部１０は、全て（６台）のセンサ端末Ｓｎに対して、現在の照度検出値を要求するコマンドを含む送信フレームを生成してセンサインタフェース部１２に出力する（図５のStep３）。センサインタフェース部１２は、制御部１０から受け取った送信フレームを伝送信号に変換（変調）して信号線４に送出する。ただし、この送信フレームにおける送信先のアドレスには、マルチキャスト（同報）用の特殊なアドレスが設定されている。したがって、この送信フレームが変換された伝送信号は、信号線４に電気的に接続されている全て（６台）のセンサ端末Ｓｎ（の信号伝送部４２）で受信される。
【００２８】
センサ端末Ｓｎの信号伝送部４２は、受信した伝送信号からコマンド（現在の照度検出値を要求するコマンド）を取得すると、照度センサ４０から出力される照度検出値を含み、送信先のアドレスに照明制御装置１のアドレスを設定した伝送信号を送信する。
【００２９】
照明制御装置１の制御部１０は、センサインタフェース部１２を通じて、全てのセンサ端末Ｓｎから現在の照度検出値を受け取るまで待機する（図５のStep４）。そして、制御部１０は、全てのセンサ端末Ｓｎから現在の照度検出値を受け取ると、それぞれのセンサ端末Ｓｎの照度検出値を、そのシーンの照度目標値として、シーン番号に対応付けて記憶部１３に記憶させ（図５のStep５）、登録モードを終了する。なお、作業者は、別のシーンデータを登録したければ、再度、操作入力部１４の登録モード切替用の押釦スイッチを押操作し、上述の登録作業を繰り返せばよい。
【００３０】
次に、通常時における照明制御装置１及び照明システム２の動作を説明する。センサ端末Ｓｎは、人感センサ４１が検知領域内に人の存在を検知すると、人検知信号を含む伝送信号を信号伝送部４２から照明制御装置１へ送信する。また、信号伝送部４２は、人感センサ４１が人の存在を検知しなくなってから所定の待機時間（例えば、数分）が経過したら、人非検知信号を含む伝送信号を照明制御装置１へ送信することが好ましい。ただし、信号伝送部４２は、待機時間内に人感センサ４１が人の存在を検知すれば、待機時間のカウントをリセットする。なお、これの伝送信号は、照明制御装置１のアドレスを送信先のアドレスとし、センサ端末Ｓｎのアドレスを送信元のアドレスとする。
【００３１】
照明制御装置１の制御部１０は、センサインタフェース部１２を通じて受け取った、送信元のセンサ端末Ｓｎのアドレス、人検知信号及び人非検知信号を記憶部１３の作業領域に保存（記憶）する。制御部１０は、センサ端末Ｓｎの人検知信号を受け取った時点から、同じセンサ端末Ｓｎの人非検知信号を受け取るまでの期間を、そのセンサ端末Ｓｎの検知領域に人が存在する期間（人存在期間）とみなす。なお、人存在期間以外の期間は、そのセンサ端末Ｓｎの検知領域に人が存在しない期間（人非存在期間）とみなされる。
【００３２】
制御部１０は、６台のセンサ端末Ｓ１〜Ｓ６のうちの少なくとも１台のセンサ端末Ｓｎが人存在期間となった場合、記憶部１３に記憶している１番のシーンデータを読み出して、１番のシーン（照明環境）を再現する。つまり、制御部１０は、１番のシーンデータに基づき、照明負荷Ｌ１〜Ｌ６の調光レベルを、それぞれ８０％、１００％、７０％、６０％、９０％、７０％とするように調光部１１に指示する。そして、調光部１１は、制御部１０から指示された調光レベルを調光信号（ＰＷＭ信号）に変換し、伝送線３を介して６台の照明負荷Ｌ１〜Ｌ６にそれぞれ送信する。ゆえに、６台の照明負荷Ｌ１〜Ｌ６が調光部１１から受け取る調光信号で調光制御されることにより、１番のシーン（照明環境）が再現される。ただし、外光（太陽光や道路灯、街灯など）が入射しているような場合、シーン再現中のセンサ端末Ｓｎの照度検出値が照度目標値を上回ることがある。そこで、制御部１０は、シーン再現中に、人存在期間であるセンサ端末Ｓｎの照度検出値が照度目標値を上回る場合、照度検出値と照度目標値との差を小さくするように、照明負荷Ｌｎの調光レベルを調節することが好ましい。なお、それぞれの照明負荷Ｌｎの照明範囲と、それぞれのセンサ端末Ｓｎの照度検出範囲との関係があらかじめ記憶部１３に記憶されている。したがって、制御部１０は、記憶部１３に記憶されている、その関係に基づき、センサ端末Ｓｎの照度検出値を照度目標値に近付けるために調光レベルを調節すべき照明負荷Ｌｎを選出することが好ましい。そして、制御部１０は、選出した１台又は複数台の照明負荷Ｌｎの調光レベルを増加又は減少させて調光部１１に指示する。その結果、１台又は複数台の照明負荷Ｌｎの調光レベルが変更され、人存在期間であるセンサ端末Ｓｎの照度検出値が照度目標値に近付けられる。
【００３３】
ここで、複数台のセンサ端末Ｓｎの人存在期間が重複した場合、制御部１０は、以下のようにして、照明負荷Ｌｎを調光制御することが好ましい。例えば、６台のセンサ端末Ｓ１〜Ｓ６のうちの４台のセンサ端末Ｓ１〜Ｓ４の人存在期間が重複していると仮定する。制御部１０は、人存在期間にある４台のセンサ端末Ｓ１〜Ｓ４の照度検出値と、１番のシーンデータにおける、それぞれのセンサ端末Ｓ１〜Ｓ４の照度目標値とを比較する。
【００３４】
例えば、センサ端末Ｓ１の照度検出値が１２０［ｌｘ］であり、照度目標値が８０［ｌｘ］であると仮定する。同様に、センサ端末Ｓ２〜Ｓ４の照度検出値がそれぞれ１２５［ｌｘ］、３０［ｌｘ］、４５［ｌｘ］であり、照度目標値がそれぞれ９０［ｌｘ］、２０［ｌｘ］、２５［ｌｘ］であると仮定する（表１参照）。この場合、４台のセンサ端末Ｓ１〜Ｓ４の照度検出値が全て照度目標値を上回っているので、制御部１０は、照度検出値と照度目標値との差が最も小さい値（３０［ｌｘ］−２０［ｌｘ］＝１０［ｌｘ］）となる、センサ端末Ｓ３を選択する。
【００３５】
あるいは、センサ端末Ｓ１〜Ｓ４の照度検出値がそれぞれ８５［ｌｘ］、８５［ｌｘ］、３０［ｌｘ］、１５［ｌｘ］であり、照度目標値がそれぞれ８０［ｌｘ］、９０［ｌｘ］、２０［ｌｘ］、２５［ｌｘ］であると仮定する。この場合、２台のセンサ端末Ｓ１、Ｓ３の照度検出値がそれぞれの照度目標値を上回っているが、２台のセンサ端末Ｓ２、Ｓ４の照度検出値がそれぞれの照度目標値を下回っている。制御部１０は、照度検出値が照度目標値を下回っている２台のセンサ端末Ｓ２、Ｓ４のうち、照度検出値と照度目標値との差が最も大きい値（１５［ｌｘ］−２５［ｌｘ］＝−１０［ｌｘ］）となる、センサ端末Ｓ４を選択する。
【００３６】
そして、制御部１０は、記憶部１３に記憶されている関係に基づき、選択したセンサ端末Ｓ３又はＳ４の照度検出値を照度目標値に近付けるために調光レベルを調節すべき照明負荷Ｌｎを選出する。さらに、制御部１０は、選出した１台又は複数台の照明負荷Ｌｎの調光レベルを増加又は減少させて調光部１１に指示する。その結果、１台又は複数台の照明負荷Ｌｎの調光レベルが変更され、選択されたセンサ端末Ｓ３又はＳ４の照度検出値が照度目標値に近付けられる。
【００３７】
ところで、特許文献１記載の従来例と同様に、制御部１０は、どのセンサ端末Ｓ１〜Ｓ６が人存在期間であるかということに関係なく、常に全てのセンサ端末Ｓ１〜Ｓ６の照度検出値を照度目標値に一致させるように照明負荷Ｌｎを調光制御することも可能である。しかしながら、制御部１０がこのような制御を行った場合、人が居る場所の明るさ感を保ちつつ省エネルギー化を図ることは難しい。
【００３８】
一方、本実施形態に係る照明制御装置１の制御部１０は、人存在期間であるセンサ端末Ｓｎの照度検出値のみを照度目標値と比較して調光制御するので、人が居る場所の明るさ感を保ちつつ省エネルギー化を図ることができる。
【００３９】
ここで、制御部１０は、照度検出値と照度目標値の差の大小に基づいてセンサ端末Ｓｎを選択する代わりに、照度目標値に対する、照度検出値と照度目標値の差の比率に基づいてセンサ端末Ｓｎを選択しても構わない。
【００４０】
例えば、人存在期間である４台のセンサ端末Ｓ１〜Ｓ４の照度検出値がそれぞれ１２０［ｌｘ］、１２５［ｌｘ］、３０［ｌｘ］、４５［ｌｘ］であり、照度目標値がそれぞれ８０［ｌｘ］、９０［ｌｘ］、２０［ｌｘ］、２５［ｌｘ］であると仮定する。この場合、４台のセンサ端末Ｓ１〜Ｓ４の比率は、それぞれ５０．０［％］、３８．９［％］、５０．０［％］、８０［％］となる。制御部１０は、照度検出値と照度目標値の差の比率が最も小さい値（３８．９［％］）となる、センサ端末Ｓ２を選択する。
【００４１】
あるいは、センサ端末Ｓ１〜Ｓ４の照度検出値がそれぞれ８５［ｌｘ］、８５［ｌｘ］、３０［ｌｘ］、１５［ｌｘ］であり、照度目標値がそれぞれ８０［ｌｘ］、９０［ｌｘ］、２０［ｌｘ］、２５［ｌｘ］であると仮定する。この場合、４台のセンサ端末Ｓ１〜Ｓ４の比率は、それぞれ６．３［％］、−５．６［％］、５０．０［％］、−４０［％］となる。ゆえに、制御部１０は、照度検出値が照度目標値を下回っている２台のセンサ端末Ｓ２、Ｓ４のうち、照度検出値と照度目標値との差の比率（の絶対値）が最も大きい値（−４０．０［％］）となる、センサ端末Ｓ４を選択する。
【００４２】
そして、制御部１０は、記憶部１３に記憶されている関係に基づき、選択したセンサ端末Ｓ２又はＳ４の照度検出値を照度目標値に近付けるために調光レベルを調節すべき照明負荷Ｌｎを選出する。さらに、制御部１０は、選出した１台又は複数台の照明負荷Ｌｎの調光レベルを増加又は減少させて調光部１１に指示する。その結果、１台又は複数台の照明負荷Ｌｎの調光レベルが変更され、選択されたセンサ端末Ｓ３又はＳ４の照度検出値が照度目標値に近付けられる。
【００４３】
上述のように、制御部１０が、照度目標値に対する、照度検出値と照度目標値の差の比率に基づいてセンサ端末Ｓｎを選択するように構成されても、人が居る場所の明るさ感を保ちつつ省エネルギー化を図ることができる。
【００４４】
ところで、照明制御装置１の制御部１０は、全てのセンサ端末Ｓ１〜Ｓ６の人非存在期間が重複している間、記憶部１３に記憶している２番のシーンデータを読み出して、２番のシーン（照明環境）を再現する。つまり、制御部１０は、２番のシーンデータに基づき、照明負荷Ｌ１〜Ｌ６の調光レベルを、それぞれ４０％、１０％、３０％、１０％、１０％、２０％とするように調光部１１に指示する。そして、調光部１１は、制御部１０から指示された調光レベルを調光信号（ＰＷＭ信号）に変換し、伝送線３を介して６台の照明負荷Ｌ１〜Ｌ６にそれぞれ送信する。ゆえに、６台の照明負荷Ｌ１〜Ｌ６が調光部１１から受け取る調光信号で調光制御されることにより、２番のシーン（照明環境）が再現される。そして、制御部１０は、シーン再現中に、人非存在期間であるセンサ端末Ｓｎの照度検出値が照度目標値を上回る場合、照度検出値と照度目標値との差を小さくするように、照明負荷Ｌｎの調光レベルを調節することが好ましい。
【００４５】
例えば、センサ端末Ｓ１〜Ｓ６の照度検出値がそれぞれ１２０［ｌｘ］、１２５［ｌｘ］、３０［ｌｘ］、４５［ｌｘ］、８５［ｌｘ］、８０［ｌｘ］であり、照度目標値がそれぞれ８０［ｌｘ］、９０［ｌｘ］、２０［ｌｘ］、２５［ｌｘ］、７０［ｌｘ］、７５［ｌｘ］であると仮定する。この場合、６台のセンサ端末Ｓ１〜Ｓ６の照度検出値が全て照度目標値を上回っているので、制御部１０は、照度検出値と照度目標値との差が最も小さい値（８０［ｌｘ］−７５［ｌｘ］＝５［ｌｘ］）となる、センサ端末Ｓ６を選択する。あるいは、制御部１０は、６台のセンサ端末Ｓ１〜Ｓ６の照度検出値と照度目標値の差の比率を演算し、その比率が最も小さい値（（８０−７５）／７５＝６．７［％］）となる、センサ端末Ｓ６を選択してもよい。
【００４６】
そして、制御部１０は、記憶部１３に記憶されている関係に基づき、選択したセンサ端末Ｓ６の照度検出値を照度目標値に近付けるために調光レベルを調節すべき照明負荷Ｌｎを選出する。さらに、制御部１０は、選出した１台又は複数台の照明負荷Ｌｎの調光レベルを増加又は減少させて調光部１１に指示する。その結果、１台又は複数台の照明負荷Ｌｎの調光レベルが変更され、選択されたセンサ端末Ｓ６の照度検出値が照度目標値に近付けられる。
【００４７】
上述のように本実施形態に係る照明制御装置１は、複数の照明負荷Ｌｎ（ｎ＝１、２、…）を個別に調光する調光部１１と、複数の照明負荷Ｌｎの調光レベルの組み合わせで構成される複数のシーンデータを記憶する記憶部１３とを備える。また、本実施形態に係る照明制御装置１は、制御部１０と、センサインタフェース部１２とを備える。制御部１０は、記憶部１３に記憶されている複数のシーンデータから任意の１つのシーンデータを選択し、選択した１つのシーンデータを構成する、複数の照明負荷Ｌｎ毎の調光レベルを調光部１１に指示して１つのシーンデータに対応した照明環境を再現する。センサインタフェース部１２は、複数のセンサ端末Ｓｎがそれぞれ有する照度センサ４０の照度検出値を複数のセンサ端末Ｓｎから個別に取得し、かつ、複数のセンサ端末Ｓｎがそれぞれ有する人感センサ４１の人検知信号を複数のセンサ端末Ｓｎから個別に取得する。記憶部１３が記憶する複数のシーンデータは、複数の照明負荷Ｌｎ毎の調光レベルと、複数のセンサ端末Ｓｎ毎の照度目標値とを対応付けるようにそれぞれ構成される。制御部１０は、複数のセンサ端末Ｓｎのうちで人感センサ４１が人検知信号を出力している１つ又は複数のセンサ端末Ｓｎの照度検出値をセンサインタフェース部１２から受け取る。また、制御部１０は、受け取った照度検出値を、再現中のシーンデータの複数の照度目標値のうちでセンサ端末Ｓｎと対応付けられている照度目標値とそれぞれ比較する。さらに、制御部１０は、全ての照度検出値が照度目標値を上回る場合、照度目標値との差が最も小さい照度検出値を照度目標値に近付けるように調光レベルを調整して調光部１１に指示するように構成される。またさらに、制御部１０は、照度目標値を下回る照度検出値が存在する場合、照度目標値との差が最も大きい照度検出値を照度目標値に近付けるように調光レベルを調整して調光部１１に指示するように構成される。
【００４８】
本実施形態に係る照明制御装置１が上述のように構成されれば、人の存在を検知しているセンサ端末Ｓｎの照度検出値のみを照度目標値と比較して調光制御するので、人が居る場所の明るさ感を保ちつつ省エネルギー化を図ることができる。
【００４９】
また、本実施形態に係る照明制御装置１は上述のように、複数の照明負荷Ｌｎを個別に調光する調光部１１と、複数の照明負荷Ｌｎの調光レベルの組み合わせで構成される複数のシーンデータを記憶する記憶部１３とを備える。また、本実施形態に係る照明制御装置１は、制御部１０と、センサインタフェース部１２とを備える。制御部１０は、記憶部１３に記憶されている複数のシーンデータから任意の１つのシーンデータを選択し、選択した１つのシーンデータを構成する、複数の照明負荷Ｌｎ毎の調光レベルを調光部１１に指示して１つのシーンデータに対応した照明環境を再現する。センサインタフェース部１２は、複数のセンサ端末Ｓｎがそれぞれ有する照度センサ４０の照度検出値を複数のセンサ端末Ｓｎから個別に取得し、かつ、複数のセンサ端末Ｓｎがそれぞれ有する人感センサ４１の人検知信号を複数のセンサ端末Ｓｎから個別に取得する。記憶部１３が記憶する複数のシーンデータは、複数の照明負荷Ｌｎ毎の調光レベルと、複数のセンサ端末Ｓｎ毎の照度目標値とを対応付けるようにそれぞれ構成される。制御部１０は、複数のセンサ端末Ｓｎのうちで人感センサ４１が人検知信号を出力している１つ又は複数のセンサ端末Ｓｎの照度検出値をセンサインタフェース部１２から受け取る。また、制御部１０は、受け取った照度検出値を、再現中のシーンデータの複数の照度目標値のうちでセンサ端末Ｓｎと対応付けられている照度目標値とそれぞれ比較する。さらに、制御部１０は、全ての照度検出値が照度目標値を上回る場合、照度目標値に対する、照度検出値と照度目標値の差の比率が最も小さい照度検出値を照度目標値に近付けるように調光レベルを調整して調光部１１に指示するように構成される。またさらに、制御部１０は、照度目標値を下回る照度検出値が存在する場合、比率が最も大きい照度検出値を照度目標値に近付けるように調光レベルを調整して調光部１１に指示するように構成される。
【００５０】
本実施形態に係る照明制御装置１が上述のように構成されれば、人の存在を検知しているセンサ端末Ｓｎの照度検出値のみを照度目標値と比較して調光制御するので、人が居る場所の明るさ感を保ちつつ省エネルギー化を図ることができる。
【００５１】
また、本実施形態に係る照明制御装置１において、制御部１０は、センサインタフェース部１２が全てのセンサ端末Ｓｎから人検知信号を受け取っていない場合、以下のように動作するように構成されることが好ましい。すなわち、制御部１０は、全てのセンサ端末Ｓｎからセンサインタフェース部１２が受け取る照度検出値を、再現中のシーンデータの複数の照度目標値とそれぞれ比較するように構成されることが好ましい。
【００５２】
本実施形態に係る照明制御装置１が上述のように構成されれば、全てのセンサ端末Ｓｎで人の存在が検知されていない場合に、更なる省エネルギー化を図ることができる。
【００５３】
本実施形態に係る照明システム２は、複数の照明負荷Ｌｎと、照度センサ４０及び人感センサ４１を有する複数のセンサ端末Ｓｎと、照明制御装置１とを有する。照度センサ４０は、照度検出値を照明制御装置１に出力するように構成される。人感センサ４１は、人の存在を検知したことを示す人検知信号を照明制御装置１に出力するように構成される。
【００５４】
本実施形態に係る照明システム２が上述のように構成されれば、照明制御装置１が、人の存在を検知しているセンサ端末Ｓｎの照度検出値のみを照度目標値と比較して調光制御するので、人が居る場所の明るさ感を保ちつつ省エネルギー化を図ることができる。
【００５５】
ここで、２台の照明負荷Ｌ１、Ｌ２及びセンサ端末Ｓ１、Ｓ２がダイニングルーム（食堂）に設置され、残りの４台の照明負荷Ｌ３〜Ｌ６及びセンサ端末Ｓ３〜Ｓ６がリビングルーム（居間）に設置される場合を想定する。ただし、ダイニングルームに設置される照明負荷Ｌ１、Ｌ２の照明範囲にリビングルームが含まれず、リビングルームに設置される照明負荷Ｌ３〜Ｌ６の照明範囲にダイニングルームは含まれないと仮定する。また、ダイニングルームに設置されるセンサ端末Ｓ１、Ｓ２は、ダイニングルームのみを照度及び人の存在の検知領域とし、リビングルームに設置されるセンサ端末Ｓ３〜Ｓ６は、リビングルームのみを照度及び人の存在の検知領域にすると仮定する。
【００５６】
このような場合において、照明制御装置１の記憶部１３は、ダイニングルームに設置された２台の照明負荷Ｌ１、Ｌ２及びセンサ端末Ｓ１、Ｓ２のグループ（第１グループ）に対するシーンデータを記憶することが好ましい。同様に、記憶部１３は、リビングルームに設置された４台の照明負荷Ｌ３〜Ｌ６及びセンサ端末Ｓ３〜Ｓ６のグループ（第２グループ）に対するシーンデータを記憶することが好ましい。なお、複数台の照明負荷Ｌｎ及びセンサ端末Ｓｎは、それぞれに設けられるディップスイッチによって、それぞれが属するグループの識別が行われるように構成されることが好ましい。照明制御装置１の制御部１０は、複数台の照明負荷Ｌｎ及びセンサ端末Ｓｎからディップスイッチの設定内容（グループの識別番号）を取得して記憶部１３に記憶することが好ましい。
【００５７】
ここで、それぞれのグループにおいて、複数台のセンサ端末Ｓｎの人存在期間が重複した場合、制御部１０は、以下のようにして、照明負荷Ｌｎを調光制御することが好ましい。例えば、第１グループにおいて、２台のセンサ端末Ｓ１、Ｓ２の人存在期間が重複していると仮定する。制御部１０は、人存在期間にある２台のセンサ端末Ｓ１、Ｓ２の照度検出値と、その時点で再現されているシーンデータにおける、それぞれのセンサ端末Ｓ１、Ｓ２の照度目標値とを比較する。例えば、センサ端末Ｓ１、Ｓ２の照度検出値がそれぞれ１２０［ｌｘ］、１２５［ｌｘ］であり、照度目標値がそれぞれ８０［ｌｘ］、９０［ｌｘ］であると仮定する。そして、制御部１０は、照度検出値と照度目標値との差が最も小さい値（１２５［ｌｘ］−９０［ｌｘ］＝３５［ｌｘ］）となる、センサ端末Ｓ２を選択する。そして、制御部１０は、記憶部１３に記憶されている関係に基づき、選択したセンサ端末Ｓ２の照度検出値を照度目標値に近付けるために調光レベルを調節すべき照明負荷Ｌｎを選出する。さらに、制御部１０は、選出した１台又は２台の照明負荷Ｌ１、Ｌ２の調光レベルを増加又は減少させて調光部１１に指示する。その結果、１台又は２台の照明負荷Ｌ１、Ｌ２の調光レベルが変更され、選択されたセンサ端末Ｓ２の照度検出値が照度目標値に近付けられる。
【００５８】
また、第２グループにおいて、４台のセンサ端末Ｓ３〜Ｓ６のうちの２台のセンサ端末Ｓ３、Ｓ４の人存在期間が重複していると仮定する。制御部１０は、人存在期間にある２台のセンサ端末Ｓ３、Ｓ４の照度検出値と、その時点で再現されているシーンデータにおける、それぞれのセンサ端末Ｓ３、Ｓ４の照度目標値とを比較する。例えば、センサ端末Ｓ３〜Ｓ６の照度検出値がそれぞれ３０［ｌｘ］、４５［ｌｘ］、８５［ｌｘ］、８０［ｌｘ］であり、照度目標値がそれぞれ２０［ｌｘ］、２５［ｌｘ］、７０［ｌｘ］、７５［ｌｘ］であると仮定する。そして、制御部１０は、照度検出値と照度目標値との差が最も小さい値（３０［ｌｘ］−２０［ｌｘ］＝１０［ｌｘ］）となる、センサ端末Ｓ３を選択する。また、制御部１０は、記憶部１３に記憶されている関係に基づき、選択したセンサ端末Ｓ３の照度検出値を照度目標値に近付けるために調光レベルを調節すべき照明負荷Ｌ３〜Ｌ６を選出する。さらに、制御部１０は、選出した１台又は複数台の照明負荷Ｌ３〜Ｌ６の調光レベルを増加又は減少させて調光部１１に指示する。その結果、１台又は複数台の照明負荷Ｌ３〜Ｌ６の調光レベルが変更され、選択されたセンサ端末Ｓ３の照度検出値が照度目標値に近付けられる。
【００５９】
上述のように本実施形態に係る照明制御装置１において、複数のシーンデータは、１つ又は複数の照明負荷Ｌｎと１つ又は複数のセンサ端末Ｓｎとを含む複数のグループ毎に設定されて記憶部１３に記憶されることが好ましい。制御部１０は、複数のグループ毎に、複数のシーンデータから任意の１つのシーンデータを選択するように構成されることが好ましい。さらに、制御部１０は、選択した１つのシーンデータを構成する、複数の照明負荷Ｌｎ毎の調光レベルを調光部１１に指示して複数のグループ毎のシーンデータに対応した照明環境を再現するように構成されることが好ましい。
【００６０】
本実施形態に係る照明制御装置１が上述のように構成されれば、複数のグループ毎にシーンデータに対応した照明環境を再現し、かつ、人が居る場所の明るさ感を保ちつつ省エネルギー化を図ることができる。
【符号の説明】
【００６１】
１  照明制御装置
２  照明システム
Ｌｎ  照明負荷
Ｓｎ  センサ端末
１０  制御部
１１  調光部
１２  センサインタフェース部
１３  記憶部
４０  照度センサ
４１  人感センサ
【図１】
0006531944.tif 000003
【図２】
0006531944.tif 000004
【図３】
0006531944.tif 000005
【図４】
0006531944.tif 000006
【図５】
0006531944.tif 000007